(57)【要約】【課題】素早く確実に分解・組立ができ、組立時には容易に外面の模様や形を揃えることができる分割式棒状具を提供する。【解決手段】第一傾斜面３１を有する斜断円筒状を呈する外筒部６、外筒部６よりも長尺で小径であって外筒部６の内側に嵌入して配設された内筒部８、及び内筒部８の内側の先端側に配設された第一磁石２１を備え、持ち手部材４の第二当接部４２に設けられた穴部２４に装着される第一連結部材９と、内筒部８が嵌入可能であって第二傾斜面３１を有する斜断円筒状を呈する受容筒部７、及び第二磁石２２を備え、先端部材３の第一当接部４１に設けられた穴部２３に装着される第二連結部材１０とを具備する。【選択図】図３
0003145850.tif 000002
【実用新案登録請求の範囲】
【請求項１】
一端に第一当接部が設けられた第一棒状部材と、
前記第一当接部に合致する第二当接部が一端に設けられ、前記第一棒状部材に対して着脱可能である第二棒状部材と、
略円筒状または略円柱状を呈する内筒部、
該内筒部よりも太い筒状または柱状を呈し、前記内筒部が一部突出するように前記内筒部に同軸方向で接合され、前記内筒部が突出した側の端部に前記内筒部の中心軸に対して所定の傾斜角をなす第一傾斜面が形成された外筒部、
及び前記内筒部の筒先端部に取着された第一磁石
を備え、前記第一当接部に配設された第一連結部材と、
前記内筒部を嵌入可能な開口端部が形成されており、該開口端部に前記第一傾斜面と同じ傾斜角の第二傾斜面が形成された斜断筒状を呈する受容筒部、
及び該受容筒部の内側に配設され、前記第一磁石との間で互いに吸引する第二磁石
を備え、前記第二当接部に配設された第二連結部材と
を具備することを特徴とする分割式棒状具。
【請求項２】
一端に第一当接部が設けられた第一棒状部材と、
前記第一当接部に合致する第二当接部が一端に設けられ、前記第一棒状部材に対して着脱可能である第二棒状部材と、
略円筒状を呈する内筒部、
該内筒部よりも大径の略円筒状を呈し、前記内筒部が一部突出するように嵌入して取着されており、前記内筒部が突出した側の端部に前記内筒部の中心軸に対して所定の傾斜角をなす第一傾斜面が形成された外筒部、
及び前記内筒部の筒先端部の内側に取着された第一磁石
を備え、前記第一当接部に配設された第一連結部材と、
前記内筒部を嵌入可能な開口端部が形成されており、該開口端部に前記第一傾斜面と同じ傾斜角の第二傾斜面が形成された斜断円筒状を呈する受容筒部、
及び該受容筒部の内側に配設され、前記第一磁石との間で互いに吸引する第二磁石
を備え、前記第二当接部に配設された第二連結部材と
を具備することを特徴とする分割式棒状具。
【請求項３】
前記第一棒状部材または第二棒状部材のいずれか一方は箸部材の先端側の一部をなす先端部材であり、他方は前記箸部材の後端側の一部をなし前記先端部材と連結されて前記箸部材を構成する持ち手部材であり、
一対の前記箸部材によって分割式箸を構成していることを特徴とする請求項１または請求項２に記載の分割式棒状具。
【考案の詳細な説明】
【技術分野】
【０００１】
本考案は、複数の部材からなり、組立・分解可能な分割式棒状具に関するものである。
【背景技術】
【０００２】
従来、細長い道具を短く分割して持ち運びに便利な長さの部材からなる組立式の構造にして携帯性を高めた分割式棒状具があった。例えば、特許文献１には、一組の箸を夫々二分割することが可能な分割式携帯用箸に関する技術の開示がある。これによれば、一本の箸が、先端側部材と持ち手側部材の二個の部材からなっており、持ち手側部材の連結部には螺子山が設けられており、先端側部材の連結部には螺子溝が設けられている。食事の時には先端側部材と持ち手側部材とを螺合させて組み立てると箸として使用でき、収納時には一対の箸を夫々二分割してより短い四点の部材とし、携帯性を高めることができる。
【０００３】
【特許文献１】実開平４−３８７６４号
【考案の開示】
【考案が解決しようとする課題】
【０００４】
しかし、特許文献１の分割式携帯用箸によれば、先端側部材と持ち手側部材とを螺子式で連結するため、先端側部材及び持ち手側部材の向きを精確に揃えることが困難であった。そのため、先端側部材と持ち手側部材とに連続する模様や絵柄からなる装飾を施した場合や、横断面が多角形を呈する形状である場合には、組み立てたときに模様や形がずれてしまう虞があった。
【０００５】
また、特許文献１の分割式携帯用箸は、螺子式の連結部を備えており、分解・組立の際には手で回す必要があるために面倒であって時間がかかった。さらに、使用中に次第に接合が緩んでぐらついたりする虞もあり、使用感に問題があった。
【０００６】
そこで、本考案は、素早く確実に分解・組立ができ、組立時には容易に外面の模様や形を揃えることができる分割式棒状具を提供することを課題とするものである。
【課題を解決するための手段】
【０００７】
本考案の分割式棒状具は、「一端に第一当接部が設けられた第一棒状部材と、
前記第一当接部に合致する第二当接部が一端に設けられ、前記第一棒状部材に対して着脱可能である第二棒状部材と、
略円筒状または略円柱状を呈する内筒部、
該内筒部よりも太い筒状または柱状を呈し、前記内筒部が一部突出するように前記内筒部に同軸方向で接合され、前記内筒部が突出した側の端部に前記内筒部の中心軸に対して所定の傾斜角をなす第一傾斜面が形成された外筒部、
及び前記内筒部の筒先端部に取着された第一磁石
を備え、前記第一当接部に配設された第一連結部材と、
前記内筒部を嵌入可能な開口端部が形成されており、該開口端部に前記第一傾斜面と同じ傾斜角の第二傾斜面が形成された斜断筒状を呈する受容筒部、
及び該受容筒部の内側に配設され、前記第一磁石との間で互いに吸引する第二磁石
を備え、前記第二当接部に配設された第二連結部材と
を具備する」ことを特徴とする。
【０００８】
ここで、「棒状具」とは、細長い形状を呈する道具を示す。例えば、箸、フォーク、ナイフ等の食器や、筆、ペン等の筆記具を挙げることができる。また、これらの他にも、へら、アートナイフ等の手工芸用品や工具など、種々の細長い形状を呈する道具類であれば特に用途や品目を限定されるものではない。また、「分割式棒状具」とは、複数の部材に分割されており、収納時には分解され、使用時には組み立てられる棒状具を示す。
【０００９】
また、「中心軸に対して所定の傾斜角をなす」とは、外筒部の中心軸に対して傾斜している状態を示すものであり、中心軸と直交する平面、及び外筒部を縦方向に切断するように中心軸と平行な平面を除くことを意味する。傾斜面の形成された開口端部の尖端が鋭利になることを防ぐため、「所定の傾斜角」としては、中心軸に対して３０度以上の角度をなすものが望ましく、特に４５度以上であることが望ましい。また、「斜断筒状」とは、斜めに切断したように一端が傾斜面で構成された筒状を示す。
【００１０】
本考案の分割式棒状具によれば、外筒部から露出した内筒部を受容筒部に挿入すると、第一磁石と第二磁石とが吸引し合って内筒部が受容筒部に挿入された状態で保持される。
これにより、外筒部が装着された第一棒状部材と受容筒部が装着された第二棒状部材とを連結することができる。このとき、内筒部及び受容筒部が嵌合するので傾いて連結される虞を抑制することができる。さらに、連結された状態では第一傾斜面と第二傾斜面とが同じ角度に形成されていて合致するため、内筒部と受容筒部との間の相対的な回動が抑制され、各部の向きを精確に整えることができる。
【００１１】
また、本考案の分割式棒状具によれば、位置合わせをしなくても内筒部を受容筒部に挿入するだけで各部材を揃えることが可能である。すなわち、第一傾斜面と第二傾斜面とが合致しない向きで内筒部を受容筒部に挿入すると、外筒部の第一傾斜面と受容筒部の第二傾斜面とが縁同士で当接する。そして、第一磁石と第二磁石の間に働く吸引力によって第一傾斜面と第二傾斜面とが接した状態で摺動しながら外筒部および内筒部と受容筒部とが相対的に回動し、第一傾斜面と第二傾斜面とが合致する。これにより、第一傾斜面と第二傾斜面とを位置合わせせずとも第一傾斜面と第二傾斜面とを合致させ、第一棒状部材及び第二棒状部材の向きを揃えることが可能である。
【００１２】
従って、分割式棒状具に施された模様や絵柄が第一棒状部材及び第二棒状部材にわたっており、模様や絵柄が途中で分割されている場合でも、本考案の分割式棒状具によれば、組み立てたときに模様や絵柄が精確に揃うように位置合わせすることが可能であり、分割式棒状具の美観が損なわれる虞を抑制することができる。
【００１３】
さらに、本考案の分割式棒状具によれば、第一連結部材と第二連結部材とを対向させて合わせるだけで磁石の吸着力によって連結することができるので、素早く簡単に分割式棒状具を組み立てることができる。また、連結された状態から各部材を引き離すだけで簡単に分割式棒状具を分解することもできる。
【００１４】
また、本考案の分割式棒状具によれば、第一連結部材と第二連結部材とは磁力によって吸着するため、連結が自然に緩むことがなく、分割式棒状具の使用中に次第に連結が緩んでしまって使用感が悪化する虞を抑制することができる。
【００１５】
なお、第二磁石は、第一傾斜面と第二傾斜面とが当接したときに第一磁石と第二磁石とが丁度吸着する位置に配設されることが特に望ましい。第一傾斜面と第二傾斜面とが当接する前に第一磁石と第二磁石とが吸着してしまうと、両傾斜面の間に隙間が生じてしまう。また、第二磁石がさらに奥に配設されており、第一傾斜面と第二傾斜面とが当接したときに第一磁石と第二磁石とが離れていると、第一磁石と第二磁石との間に働く吸引力が低下し、内筒部が受容筒部に挿入された状態で保持する力が低下する。このため、第二磁石の配設箇所は丁度第一磁石と当接する位置であることが望ましい。
【００１６】
本考案の分割式棒状具は、「一端に第一当接部が設けられた第一棒状部材と、
前記第一当接部に合致する第二当接部が一端に設けられ、前記第一棒状部材に対して着脱可能である第二棒状部材と、
略円筒状を呈する内筒部、
該内筒部よりも大径の略円筒状を呈し、前記内筒部が一部突出するように嵌入して取着されており、前記内筒部が突出した側の端部に前記内筒部の中心軸に対して所定の傾斜角をなす第一傾斜面が形成された外筒部、
及び前記内筒部の筒先端部の内側に取着された第一磁石
を備え、前記第一当接部に配設された第一連結部材と、
前記内筒部を嵌入可能な開口端部が形成されており、該開口端部に前記第一傾斜面と同じ傾斜角の第二傾斜面が形成された斜断円筒状を呈する受容筒部、
及び該受容筒部の内側に配設され、前記第一磁石との間で互いに吸引する第二磁石
を備え、前記第二当接部に配設された第二連結部材と
を具備する」構成とすることもできる。
【００１７】
本構成の分割式棒状具によれば、第一連結部材と第二連結部材とを対向させて内筒部を受容筒部に挿入すると、第一磁石と第二磁石とが吸着して第一連結部材と第二連結部材とが連結する。これにより、第一棒状部材と第二棒状部材とを連結することができる。このとき、内筒部及び受容筒部が嵌合しているので、第一連結部材及び第二連結部材が間違った向きで連結される虞が抑制される。さらに、連結された状態では第一傾斜面と第二傾斜面とが合致するため、内筒部と受容筒部との間の相対的な回動が抑制され、第一連結部材と第二連結部材との向きを精確に整えることができる。
【００１８】
また、本構成によれば、位置合わせをしなくても内筒部を受容筒部に挿入するだけで各部材を揃えることが可能である。すなわち、第一傾斜面と第二傾斜面とが合致しない向きで内筒部を受容筒部に挿入すると、外筒部の第一傾斜面と受容筒部の第二傾斜面とが縁同士で当接する。そして、第一磁石と第二磁石の間に働く吸引力によって第一傾斜面と第二傾斜面とが接した状態で摺動しながら外筒部および内筒部と受容筒部とが相対的に回動し、第一傾斜面と第二傾斜面とが合致する。これにより、第一傾斜面と第二傾斜面とを位置合わせせずとも第一傾斜面と第二傾斜面とを合致させ、第一棒状部材及び第二棒状部材の向きを揃えることが可能である。
【００１９】
さらに、本構成によれば、内筒部及び外筒部がいずれも円筒状を呈する部材であって内筒部が外筒部に嵌入されている。内筒部、外筒部、及び受容筒部をいずれも円筒状の材料から製造することが可能であり、低コスト化を図ることができる。
【００２０】
また、本考案は、「前記第一棒状部材または第二棒状部材のいずれか一方は箸部材の先端側の一部をなす先端部材であり、他方は前記箸部材の後端側の一部をなし前記先端部材と連結されて前記箸部材を構成する持ち手部材であり、
一対の前記箸部材によって分割式箸を構成している」構成とすることもできる。
【００２１】
本構成によれば、分割式箸で本考案の請求項１または請求項２の効果を奏することができる。これにより、携帯時には分割して短くして収納し、使用時には手早く組み立てることが可能な分割式箸を提供することができる。
【００２２】
また、分割式箸を構成する一対の箸部材において、夫々の第一磁石と第二磁石の極性を逆向きにして配設することで、夫々の先端部材と持ち手部材との組み合わせを間違える虞を抑制することもできる。すなわち、一方の箸部材の持ち手部材には、Ｎ極が露出する向きで第一磁石を配設し、対応する先端部材にはＳ極が露出する向きで第二磁石を配設するとともに、他方の箸部材の持ち手部材にはＳ極、先端部材にはＮ極が露出する向きで夫々に第一磁石及び第二磁石を配設すると、先端部材と持ち手部材との組み合わせを間違えた場合には、第一磁石と第二磁石とが吸着せず反発するため、組み立てることができない。これにより、夫々の箸部材の模様や絵柄が誤って組み合わせられてちぐはぐな外観となってしまう虞を抑制することができる。
【考案の効果】
【００２３】
このように、本考案によれば、素早く確実に分解・組立ができ、組立時には容易に外面の模様や形を揃えることができる分割式棒状具を提供することができる。
【考案を実施するための最良の形態】
【００２４】
以下、本考案の実施形態である分割式箸について、図１乃至図４に基づき詳細に説明する。図１は、分割式箸の構成を示す正面図であり、図２は、分割式箸の連結部を拡大して示す拡大平面図である。図３は、連結部の縦断面を示す断面図であり、図４は連結部の構成を示す分解斜視図である。
【００２５】
図１に示すように、分割式箸１は、一対の箸部材２，１２から構成されている。箸部材２，１２は夫々さらに二分割可能であり、箸部材２は、持ち手部材４と先端部材３とからなり、箸部材１２は、先端部材１３と持ち手部材１４とからなっている。ここで、分割式箸１及び箸部材２，１２が、本考案の分割式棒状具に相当し、先端部材３，１３が、本発明の第一棒状部材に相当し、持ち手部材４，１４が、本発明の第二棒状部材に相当する。
【００２６】
先端部材３，１３及び持ち手部材４，１４は、いずれも硬質な木材である縞黒檀製であり、表面は拭漆仕上が施されている。各々の箸部材の持ち手部材及び先端部材は１本の木材から断面八角形の箸の形状に削り出されており、夫々の先端部材から持ち手部材にかけて連続した木目が表面に表れている。
【００２７】
先端部材３と持ち手部材４とを連結する連結部５は、持ち手部材４に配設された第一連結部材９と、先端部材３に配設された第二連結部材１０とから構成されている。同様に、先端部材１３と持ち手部材１４とを連結する連結部１５は、持ち手部材１４に配設された第一連結部材１９と、先端部材１３に配設された第二連結部材２０から構成されている。
【００２８】
詳しくは後述するが、第一連結部材９及び第二連結部材１０には夫々第一磁石２１及び第二磁石２２が配設されており（図２または図３を参照）、組み立てたときに互いに吸着する。同様に第一連結部材１９及び第二連結部材２０には夫々第一磁石及び第二磁石が配設されており（図示しない）、組み立てたときに互いに吸着する。先端部材３及び持ち手部材４の対向する箇所には、夫々平滑な第一当接部４１、第二当接部４２が設けられており、箸部材２を組み立てたときには第一当接部４１と第二当接部とが密接し、箸部材２は、隙間無く形成された１本の箸であるかのような外観を呈する。また、持ち手部材４，１４の後端部には、夫々に箸部材の後端を明示して装飾する装飾部材９，１９が装着されている。
【００２９】
以下、図２〜図４に基き、連結部５について詳細に説明する。なお、連結部１５については、第一磁石及び第二磁石の極性が逆転している点を除くと構成・作用とも連結部５と同等であるため、詳細な説明を省略する。
【００３０】
図２及び図３に示すように、第一連結部材９は、持ち手部材４に設けられた穴部２４に挿入されて持ち手部材４に接着されている。第二連結部材１０は、先端部材３に設けられた穴部２３に挿入されて先端部材３に接着されている。第一連結部材９は、持ち手部材４の先端側に形成された第二当接部４２の当接面よりも若干突出した位置に外筒部６の先端が位置するように配設されており、第二連結部材１０は、受容筒部７の傾斜面３２が第一当接部４１の当接面よりも若干奥まった位置に配設されている（図２及び図４（ｂ）参照）。
【００３１】
図４（ｃ）に示すように、第一連結部材９は、外筒部６、内筒部８、及び第一磁石２１から構成されている。外筒部６及び内筒部８はアルミニウム製である。外筒部６は略斜断円筒状を呈しており、先端側の端部に第一傾斜面３１を有する。内筒部８は、外筒部６よりも小径で、外筒部６の内周面２６（図３参照）に嵌合して接着されており、外筒部６よりも長く、外筒部６の先端側、すなわち第一傾斜面３１の側から外に突出している。第一磁石２１は、内筒部８よりも小径の円筒状を呈しており、内筒部８の筒先端部３３に挿入され、内筒部８の内周面２８（図３参照）に接着されている。
【００３２】
第二連結部材１０は、受容筒部７及び第二磁石２２によって構成されている。受容筒部７は、アルミニウム製の筒状であって外筒部６と略同形であり、内筒部８が中に挿入されると内周面２７と内筒部８とが嵌合する。受容筒部７の持ち手側に面する開口端部３６には、外筒部６の第一傾斜面３１と合致する角度の第二傾斜面３２が形成されている。受容筒部７の先端側は先端部材３に設けられた穴部２３に挿入されており、第二磁石２２が受容筒部７の中であって先端側の端部に配設されている。
【００３３】
図４（ａ）に示すように、第一連結部材９と第二連結部材１０とが連結されると両部材はほぼ隙間なくぴったりと接合し、連結部５は全体として１本の円筒状を呈する。このとき、内筒部８の外周面と受容筒部７の内周面２７（図２及び図３を参照）とが嵌合し、第一傾斜面３１と第二傾斜面３２とが合致して当接している。また、第一磁石２１の先端部及び筒先端部３３の端面は、第二磁石２２に当接している。この状態が、図１に示した箸部材１２の連結部１５の状態に相当する。
【００３４】
図４（ｂ）に示す位置関係で、第一連結部材９と第二連結部材１０とを接近させると、内筒部８が受容筒部７の中に嵌入し、第一傾斜面３１と第二傾斜面３２とが合致して当接し、図４（ａ）に示した状態となり、第一磁石２１と第二磁石２２との間に働く吸引力によって保持される。内筒部８が受容筒部７の中に嵌入したときに第一傾斜面３１と第二傾斜面３２とが平行でなかった場合には、第一傾斜面３１と第二傾斜面３２とが当接した状態で摺動しながら第一連結部材９と第二連結部材１０とが相対的に回動し、第一傾斜面３１と第二傾斜面３２との角度のずれが解消され、第一傾斜面３１と第二傾斜面３２とが合致して当接する。
【００３５】
ここで、箸部材２において第一磁石２１のＮ極と第二磁石２２のＳ極とが対向する向きで配設されている場合、箸部材１２においては第一磁石（図示しない）のＳ極と第二磁石（図示しない）のＮ極とが対向する向きになっている。これにより、例えば、持ち手部材４と先端部材１３とを誤って組み合わせた場合には、箸部材２の第一磁石２１のＮ極と箸部材１２の第二磁石のＮ極とが対向するため、反発し合って接合させることができない。連結部５または連結部１５が磁石の反発によってきちんと連結できないので、使用者が間違って組み合わせた場合には間違いにすぐに気づかせて直させることができる。
【００３６】
分割式箸１は、先端部材３（１３）と持ち手部材４（１４）とを引き離すことで分解して収納することが可能である。磁石の吸着力によって連結が保持されているので、吸着力よりも強い力で引き離せば簡単に連結を解除することができる。
【００３７】
このように、本実施形態の分割式箸１によれば、第一連結部材９と第二連結部材１０とを対向させ、内筒部８を受容筒部７に挿入すると、第一磁石２１と第二磁石２２とが吸着し、第一連結部材９と第二連結部材１０とが連結される。これにより、先端部材３と持ち手部材４とを素早く簡単に連結することができる。このとき、内筒部８及び受容筒部７が嵌合しているので、第一連結部材９に対して第二連結部材１０が傾いた状態で連結される虞が抑制され、先端部材３と持ち手部材４とが真直ぐに揃って連結される。さらに、連結された状態では第一連結部材９の第一傾斜面３１と第二連結部材１０の第二傾斜面３２とが合致して当接するため、外筒部６及び内筒部８と受容筒部７との相対的な回動が抑制され、第一連結部材９と第二連結部材１０との向きを精確に合わせて保持することができる。
【００３８】
また、本実施形態の分割式箸１によれば、第一連結部材９及び第二連結部材１０を位置合わせせずに組み立てた場合にも外面の模様や形状を揃えることが可能である。使用者が位置合わせをしなくても箸部材２，１２の外面に表れた木目や稜線が精確に揃った状態で先端部材３，１３と持ち手部材４，１４とを連結することが可能であるので、分割式箸１の組み立てた状態における美観を優れたものに保つことができる。
【００３９】
さらに、本実施形態の分割式箸１によれば、第一連結部材９と第二連結部材１０とは磁力によって吸着するため、吸着した状態から接合が自然に緩むことがなく、従来の分割式箸のように使用中に次第に接合が緩んでしまって使用感が悪化する虞を抑制することができる。また、箸部材２，１２の夫々の先端部材と持ち手部材との組み合わせを間違えて組み立てようとした場合には、連結部の磁石が吸着せず反発し、組み合わせが間違っていることを使用者に知らせることができる。これにより、夫々の箸部材の模様が揃わずにちぐはぐな外観となってしまう虞を抑制することができる。
【００４０】
また、箸部材２及び箸部材１２はいずれも磁石を内蔵しているので、揃えた状態で置いたときに磁石の吸引力によって位置を揃えやすくすることができる。すなわち、連結部５と連結部１５との間では磁石の極性が逆になっているので、丁度揃って並んだ位置において磁石同士の間に吸引力が最大になるため、位置がずれることなくきれいに揃えることができる。また、このとき、木製の先端部材３，１３及び持ち手部材４，１４によって第一磁石および第二磁石が包まれているため、箸部材２と端部材１２との間に働く吸引力は微弱なものとなっており、二本の箸部材が使用中に吸着してしまう虞はなく、快適に使用可能である。
【００４１】
なお、箸部材２，１２を分割して収納するときには、使用後の先端部材３，１３によって衣服等が汚れることを防ぐために袋や箱に収納するとよい。また、その際には鞘状の部材によって先端部材３，１３の先端を保護すると、収納用の袋や箱が傷むことを防ぐことができる。
【００４２】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４３】
すなわち、上記実施形態においては、漆塗り仕上げの木目調の意匠を施された先端部材３，１３及び持ち手部材４，１４を備えたものを示したが、これに限定されるものではなく、例えば外面に絵を描いたものであってもよいし、模様を施したものであってもよく、さらには全くの無地であってもよい。また、断面形状も八角形に限定されるものではなく、四角形、五角形、六角形、楕円形など、異なる断面形状のものであってもよい。また、幾何学的な断面形状に限定されるものではなく、不規則な形状やより複雑な形状であってもよい。本考案によれば、分割式棒状具を組み立てたときに外面の模様や形状が精確に合うので分割式棒状具の外観を優れたものとすることができる。
【００４４】
また、上記実施形態によれば、外筒部６、内筒部８、及び受容筒部７はいずれもアルミニウム製であったが、これに限定されるものではなく、非磁性体であれば材質は特に限定されるものではない。例えば、銅製であってもよいし、プラスティック製や木製であってもよい。素材の質感を生かした意匠を施したり、より軽量な素材を用いることで全体の軽量化を図ったりすることが可能である。また、先端部材３，１３及び持ち手部材４，１４に関しても、縞黒檀以外の木材であってもよいし、他の素材で形成されていてもよい。
【００４５】
また、上記実施形態によれば、内筒部８が外筒部６に嵌入されて構成されたものを示したが、これに限定されるものではなく、異なる構造をとるものであってもよい。例えば、内筒部８と外筒部６とが溶接されていてもよいし、内筒部８と外筒部６とが切削によって一体に形成されたものであってもよい。
【００４６】
また、上記実施形態によれば、外筒部６及び受容筒部７はいずれも斜断円筒状を呈するものを示したが、これに限定されるものではなく、外筒部６及び受容筒部７は円筒以外の筒状または柱状の部材を斜めに切ったような斜断筒状を呈するものでもよく、例えば楕円筒や四角柱状の筒または柱を斜めに切った形状のものであってもよい。なお、外筒部６および受容筒部７は、円筒形や楕円筒形など、縁がなめらかな曲線で構成されたものであると、第一傾斜面３１と第二傾斜面３２とが合致しない向きで外筒部６と受容筒部７とが組み合わせられたときにも各部材が滑らかに摺動して第一傾斜面３１と第二傾斜面３２が合致する向きに揃いやすいので、断面形状が角張った形状よりも滑らかな形状である方がより望ましい。
【００４７】
また、上記実施形態によれば、第一連結部材９は、持ち手部材４に設けられた奥の閉じられた穴部２４に配設されており、第二連結部材１０は、先端部材３に設けられた奥の閉じられた穴部２３に配設されているが、穴部２３及び穴部２４は第一連結部材９及び第二連結部材１０と丁度合致する寸法のものに限定される必要はなく、より深く形成されていてもよいし、持ち手部材４の穴部２４については他端まで貫通して形成されているものであってもよい。
【００４８】
また、本考案の分割式棒状具は分割式箸に限定されず、その他の食器や道具類であってもよい。例えば、柄の部分が分割されるフォーク、ナイフ等の食器でも良いし、筆、ペン等の筆記具でも良い。さらに、へら、アートナイフ等の手工芸用品や工具などであってもよく、細長い形状を呈する道具類であれば特に限定されるものではない。
【図面の簡単な説明】
【００４９】
【図１】本実施形態の分割式箸の構成を示す正面図である。
【図２】分割式箸の連結部を拡大して示す拡大平面図である。
【図３】連結部の縦断面を示す断面図である。
【図４】連結部の構成を示す分解斜視図である。
【符号の説明】
【００５０】
１  分割式箸  （分割式棒状具）
２，１２  箸部材
３，１３  先端部材  （第一棒状部材）
４，１４  持ち手部材  （第二棒状部材）
６，１６  外筒部
７，１７  受容筒部
８，１８  内筒部
９，１９  第一連結部材
１０，２０  第二連結部材
２１  第一磁石
２２  第二磁石
３１  第一傾斜面
３２  第二傾斜面
３３  筒先端部
３６  開口端部
４１  第一当接部
４２  第二当接部
【図１】
0003145850.tif 000003
【図２】
0003145850.tif 000004
【図３】
0003145850.tif 000005
【図４】
0003145850.tif 000006